(57)【特許請求の範囲】
【請求項１】
木造または鉄骨造建築物の土台を載せる複数列の対向する構台ＨＳ間にわたり複数の横長金属板を縦方向へ重ね合わせ連結した本体Ａの両端を取り付け、本体Ａの外側面に複数の横長金属板を縦方向へ重ね合せた支持体Ｂを取り付け、本体Ａと支持体Ｂの空間に複数の支持体ＢＳを介挿し、本体Ａの両端部に固着する支持体ＢＳ２に形成した斜面Ｂと対向して支持体Ｂに固着する支持体ＢＳ３に形成した斜面Ｃに下向きに圧接させ、本体Ａの中央部に固着する支持体ＢＳ１の両側に形成した斜面Ａに支持体ＢＳ３に形成した斜面Ｄを圧接させ、支持体ＢＳ１の上位において本体Ａに固着する支持体ＢＳ４の下面を支持体ＢＳ３の上面に圧接させ、本体Ａ及び支持体ＢＳ１に固着するシャフトＳ１と、支持体ＢＳ３に固着するシャフトＳ２を本体Ａと支持体Ｂに設けたシャフトリード長孔ＳＬＨに遊嵌し、コンクリ−ト基礎にアンカーボルトＡＢで固着する基礎ベースプレートＣＳ上に支持体ベースプレートＣを重ね合わせて設けると共に支持体ベースプレートＣのＹ方向にリードアンカー遊動孔ＬＡＨを、基礎ベースプレートＣＳのＸ方向にリードアンカー遊動孔ＬＡＨをそれぞれ設けてリードアンカーＬＡ１及びリードアンカーＬＡ２を遊嵌し、支持体ベースプレートＣ上に本体Ａ、支持体Ｂ及び支持体ＢＳを立設し、基礎ベースプレートＣＳから伝播する地震の上下動と水平動を免震し、基礎ベースプレートＣＳ１に設けているリードアンカー遊動孔ＬＡＨに基礎ベースプレートＣＳ１を押圧し遊動させる加圧プレートＣＳ３を配設し、加圧プレートＣＳ３を下位の基礎ベースプレートＣＳ２に固着したリードアンカーＬＡ２に連結しているリードアンカー繋ぎ板ＬＡＣＰで押圧し、加圧プレートＣＳ３がＸ方向へ遊動し加圧プレートＣＳ３に形成した斜面ＣＳ３ａが基礎ベースプレートＣＳ１のリードアンカー遊動孔ＬＡＨに形成されている斜めのストッパー壁ＳＷ１に当衝すると加圧プレートＣＳ３にＹ方向への遊動が発生し、基礎ベースプレートＣＳ上に遊動可能に設けた支持体ベースプレートＣから伝播する地震の全方位にわたる水平動を免震することを特徴とする木造または鉄骨造建築物の免震基礎装置。
【発明の詳細な説明】
【技術分野】
【０００１】
本発明は木造または鉄骨造建築物の免震基礎装置に関し、出願人の先願に係る免震基礎装置の改良発明である。
【背景技術】
【０００２】
免震基礎装置に関する特許発明がある、特許文献１。
【０００３】
出願人の先願に係る未公開の免震基礎装置がある、特許文献２。
【先行技術文献】
【特許文献】
【０００４】
【特許文献１】特許第３９４１９６１号公報。
【特許文献２】特願２００８−３３３４２２。
【発明の開示】
【発明が解決しようとする課題】
【０００５】
特許文献１に記載の特許発明は、建物の横揺れと縦揺れを免震すると共に揺れ止まり時に建物を元位置に固定するための免震基礎装置であり、構造が複雑で部品点数が多く、それに伴って組み立てが煩雑である。
【０００６】
特許文献２に記載の未公開の出願発明は、建物の土台を載せる構台に縦方向の複数の金属板からなる本体を連結し、縦方向の複数の金属板からなる支持体と、本体と支持体の間にスペーサー支持体を介挿し且つ横方向のシャフトで支持体を本体に上下摺動可能に挟持し、地盤に固着した横方向の基礎ベースプレート上に支持体を支える支持体ベースプレートを重ね合わせリードアンカーで水平方向へ摺動可能に連結し、リードアンカーを遊嵌するリードアンカー長孔を支持体ベースプレートのＹ方向と基礎ベースプレートのＸ方向へ設け、リードアンカーがリードアンカー長孔内を遊動することによりＸ方向とＹ方向への水平動を吸収して免震するものであり、したがつて９０度に分かれるＸ方向とＹ方向への水平動をそれぞれ個別に分けて免震するが、Ｘ方向とＹ方向の中間方向への例えば４５度方向の複雑な水平動に対しては有効に免震しない恐れがある。又、金属板の本体Ａと支持体Ｂの空間に介挿した複数の支持体に形成されている傾斜角４５度の斜面同士の圧接で構台に加わる建物の下降荷重を支持しているが、本体の外側の中央下部に固着した略二等辺三角形状の支持体に形成された山形の斜面を、支持体の内側に固着した略平行四辺形状の支持体に形成される一方の斜面と圧接させると共に、その他方の斜面を支持体の内側に固着した他の支持体の斜面と圧接させている構成であるため、本体に固着した支持体により建物の下降荷重を直接的に支持するものではなく、支持体に固着した支持体を介して間接的に建物の下降荷重を支える構成であり、本体に固着した支持体の耐荷重強度に難点があると共に、各支持体に形成されている４５度の斜面同士の圧接で上下動を免震する構成であるため支持体自体の上下動高さが支持体の真上及び真下への上下動高さに比べ免震の振幅が半減する。
【課題を解決するための手段】
【０００７】
木造または鉄骨造建築物の土台を載せる複数列の構台ＨＳ間にわたり金属板を縦方向へ重ね合わせて形成した本体Ａの両端を固着し、本体Ａの両側面に金属板を縦方向へ重ね合わせた支持体Ｂを挟持し、本体Ａと支持体Ｂの間に複数の支持体ＢＳを介挿し、重ね合わせた本体Ａと支持体Ｂの上部と下部にシャフトＳを挿通し、本体Ａに固着するシャフトＳ１と支持体ＢＳに固着するシャフトＳ２を遊嵌するシャフトリード長孔ＳＬＨを本体Ａ及び支持体Ｂに設けて支持体Ｂを本体Ａの両側面に上下及び左右遊動可能に連結し、本体Ａの両側部に固着する一対の支持体ＢＳ２の内側に形成した斜面を、支持体Ｂ１の両側部に固着する一対の支持体ＢＳ３の外側に形成した斜面に下向きに圧接させると共に支持体ＢＳ３の内側の斜面を本体Ａの中央部に固着する支持体ＢＳ１の両側の斜面に圧接させ、支持体Ｂ１の上部に固着する支持体ＢＳ４の下面を支持体ＢＳ３の上面に下向きに圧接させて地震の上下動を免震し、コンクリート基礎に固着した基礎ベースプレートＣＳ上に支持体ベースプレートＣを重ね合わせて支持体ベースプレートＣ上に本体Ａ、支持体Ｂ及び支持体ＢＳを立設し、基礎ベースプレートＣＳに固着したリードアンカーＬＡを遊嵌すリードアンカー遊動孔ＬＡＨを支持体ベースプレートＣのＹ方向へ設けると共に基礎ベースプレートＣＳのＸ方向に設け、基礎ベースプレートＣＳに設けたリードアンカー遊動孔ＬＡＨに基礎ベースプレートＣＳを押圧する加圧プレートＣＳ３を遊嵌して基礎ベースプレートＣＳから伝播するＹ方向とＸ方向の全方位にわたる水平動を免震し、構造の簡略化並びに強度増強及び生産コストの低減と、併せてシステム組み立て作業性の向上を図ることを目的とする。
【発明の効果】
【０００８】
地震発生時に建物に伝播する全方位にわたる水平動及び大きな振幅の上下動を免震し、装置の簡略化及び耐荷重強度の増強と、本体Ａに加わる建物の長期にわたる下降荷重を支え、地震静止時には本体Ａが下降せず建物の安定を維持し、且つ生産コストの低減と併せてシステム組み立ての作業性向上を図ることができる。
【図面の簡単な説明】
【０００９】
【図１】本発明の外観を示す正面図。
【図２】本発明の組立てシステムを示す正面図。
【図３】中央線で縦断した左半部は図２におけるＸ1−Ｘ１断面図、同右半部は図２におけるＸ２−Ｘ２  断面図。
【図４】中央線で横断した上半部は本体Ａ１を示す正面図、同下半部は本体Ａ２を示す正面図。
【図５】本体ＡＳを示す正面図であり、本体ＡＳに支持体Ｂ１をシャフトＳ1、Ｓ２で連結した状態を示す正面図。
【図６】支持体ＢＳ１、ＢＳ２、ＢＳ３及びＢＳ４を示す正面詳細図であり、本体Ａと支持体Ｂの間に介挿し本体Ａに固着した支持体ＢＳ２の斜面Ｂが、支持体Ｂに固着した支持体ＢＳ３の斜面Ｃに圧接し、支持体ＢＳ３の他方の斜面Ｄと本体Ａに固着した支持体ＢＳ１の斜面Ａが圧接し、本体Ａに固着した支持体ＢＳ４の下面が、支持体ＢＳ３の上面に圧接した状態を示す正面図。
【図７】支持体Ｂ１、Ｂ２、Ｂ３、Ｂ３Ｌ及びＢ３ａを示す正面詳細図であり、本体Ａの中央下部と支持体ＢＳ１にシャフトＳ１を固着し、支持体Ｂ３ａをＸ字形に重ねて本体ＡＳの内側に固着し、支持体Ｂ３ａにそれぞれ設けた斜め方向に交差するシャフトリード孔ＳＬＨ３にシャフトＳ１を遊嵌し、本体Ａの両側上部と支持体ＢＳ３に固着した２本のシャフトＳ２を支持体Ｂ１に設けた横方向のシャフトリード孔ＳＬＨ２に遊嵌した状態を示す正面図。
【図８】本体Ａを挟持する本体Ａ３の下部をアングル鋼材の本体Ａ４で構台ＨＳに固着する状態を示す側面図。
【図９】「Ｘ−Ｘ線で切断した右半部」は、基礎ベースプレートＣＳ1、ＣＳ２の平面図、「Ｘ−Ｘ線で切断した左半部」は、支持体ベースプレートＣ1、Ｃ２の平面図。
【図１０】「Ｚ−Ｚ線で分断した左半部」は図９におけるＹ−Ｙ断面図、「Ｚ−Ｚ線で分断した右半部」は図９におけるＸ１−Ｘ１切断端面図。
【図１１】図９におけるＸ１−Ｘ１断面図。
【図１２】図９における平面図を時計方向へ９０度回転させた要部拡大平面図。
【図１３】図１２におけるにおけるＹ−Ｙ断面図。
【図１４】図１２におけるＸ−Ｘ断面図。
【図１５】シャフトＳを本体Ａと支持体Ｂに装着した状態を示す縦断面図。
【図１６】補助免震基礎装置を示す外観正面図。
【図１７】補助免震基礎装置の支持体ベースプレートＣ１と基礎ベースプレートＣＳ１を示す平面図。
【図１８】補助免震基礎装置の組み立てシステムを示す側面図。
【図１９】補助免震基礎装置の本体Ａを示す正面図。
【図２０】補助免震基礎装置の支持体Ｂ１及び支持体Ｂ３を示す正面図。
【図２１】補助免震基礎装置の支持体ＢＳ１を示す正面図。
【図２２】平屋建築物において構台に配置する免震基礎装置と補助免震基礎装置を示す平面図。
【図２３】２階建て建築物において構台に配置する免震基礎装置と補助免震基礎装置を示す平面図
【発明を実施するための形態】
【００１０】
図１は本発明の外観を示す正面図。
【００１１】
図２は本発明の組立てシステムを示す正面図。
【００１２】
図３において中央線で縦断した左半部は図２におけるＸ1−Ｘ1断面図、同、右半部は図２におけるＸ２−Ｘ２断面図。
【００１３】
図４において中央線で横断した上半部は本体Ａ１を示す正面図、同、下半部は本体Ａ２を示す正面図。
【００１４】
図５は２枚１組の本体ＡＳの内側にそれぞれ２枚１組の支持体Ｂ１を重ね合わせ支持体Ｂ１の下部を、アングル鋼材の一対の支持体Ｂ３Ｌで挟みボルトを用いて一体的に固着し、本体Ａの外側と、支持体Ｂ１の内側の間に介挿した支持体ＢＳ３に２本のシャフトＳ２を固着し、シャフトＳ２を最も外側の本体ＡＳに設けた斜め方向のシャフトリード長孔ＳＬＨ３に遊嵌すると共に、本体Ａの外側と支持体Ｂ１の内側の間に介挿した支持体ＢＳ1に本体Ａの中央下部に固着した１本のシャフトＳ１の頭部を本体ＡＳから突出させた状態を示す本体ＡＳの正面図。
【００１５】
図６は本体Ａと支持体Ｂの間に介挿する複数の支持体ＢＳを示す詳細図であり、本体Ａ１の両端部外側に重ね合わせて固着した同型２枚づつの支持体ＢＳ２に形成した４５度の傾斜角を有する斜面Ｂが、支持体Ｂ１の内側に固着した同型２枚づつの支持体ＢＳ３に形成した４５度の傾斜角を有する外側の斜面Ｃに圧接し、支持体ＢＳ３の内側の４５度の傾斜角を有する斜面Ｄが、本体Ａの中央部に固着した同型２枚づつの支持体ＢＳ１の両側の４５度の傾斜角を有する斜面Ａに圧接し、支持体Ｂ１の上部に固着した同型２枚づつの横長矩形状の支持体ＢＳ４の下面とスペーサー支持体ＢＳ３の上面が圧接した状態を示す正面図。尚、支持体ＢＳ３の下部に脚部ＢＳ３ａを内側ヘ張り出しスペースサー支持体ＢＳ３に対し加わる建物の長期に及ぶ下降荷重を安定して支えると共に、支持体ＢＳ４の水平な下面と支持体ＢＳ３の水平な上面が圧接しているため支持体ＢＳ３から伝播する地震の上下動の振幅をそのまま直接に伝え大きな免震効果を奏する。
【００１６】
図７は支持体Ｂ１、Ｂ２、Ｂ３及び支持体Ｂ３Ｌを示す詳細図であり、本体Ａの中央下部と支持体ＢＳ１に１本のシャフトＳ１を固着し、同型２枚づつの支持体Ｂ３を２枚づつＸ字形に重ねて本体ＡＳの内側に固着し、支持体Ｂ３にそれぞれ設けた斜め方向に交差するシャフトリード孔ＳＬＨ３にシャフトＳ１を遊嵌し、本体Ａの両側上部と支持体ＢＳ３に固着した２本のシャフトＳ２を支持体Ｂ１に設けた横方向のシャフトリード孔ＳＬＨ２に遊嵌し、Ｘ方向に重ね合わせた支持体Ｂ３が交差し左右両側に形成されるＶ型の凹陥部Ｂ３ａに嵌合して支持体Ｂ１の水平動を制止すると共に、斜め方向へ交差するシャフトリード孔ＳＬＨ３に遊嵌したシャフトＳ１による上下動の制止作用と相俟って建物からの長期荷重を支持するストッパープレートＢ３ＳＰを本体ＡＳに固着した状態を示し、本体Ａの下降を確実に防止する正面図。
【００１７】
図８は本体Ａの両端部を挟持する本体Ａ３をアングル鋼材の本体Ａ４を用いて構台ＨＳに固着する状態を示す側面図。
【００１８】
図９において「Ｘ−Ｘ線で切断した左半部」は、上下に２枚を重ね合わせ一体的に溶着し且つコンクリート基礎にアンカーボルトＡＢを用いて固定した基礎ベースプレートＣＳ1、ＣＳ２上に、上下に２枚を重ね合わせた支持体ベースプレートＣ１と支持体ベースプレートＣ２を遊動可能に載せた状態を示す平面図であり、支持体ベースプレートＣ１及びＣ２にＹ方向へ連通して設けたリードアンカー遊動孔ＬＡＨにリードアンカー繋ぎ板ＬＡＣＰで連結され且つ基礎ベースプレートＣＳ２に固着し立設された２本のリードアンカーＬＡ１を遊嵌してＹ方向へ遊動自在とすると共に、支持体ベースプレートＣ２に設けたリードアンカー遊動孔ＬＡＨの１個所に４本の丸鋼バネＳＰ１をＸ方向へ装填し、リードアンカーＬＡ１が図示における右Ｙ方向へ遊動したときリードアンカー繋ぎ板ＬＡＣＰが丸鋼バネＳＰ１を押圧して撓ませ水平動の衝撃を緩和する状態を示し、図９において「Ｘ−Ｘ線で切断した右半部」は、重ね合わせて溶着した基礎ベースプレートＣＳ1及びＣＳ２のＸ方向へ設けたリードアンカー遊動孔ＬＡＨ内をリードアンカー繋ぎ板ＬＡＣＰで一体に連結したリードアンカーＬＡ１が遊動し、基礎ベースプレートＣＳ1及びＣＳ２に設けたリードアンカー遊動孔ＬＡＨの２個所にＸ方向へ装填した２本の丸鋼バネＳＰ２をリードアンカーＬＡ１のリードアンカー繋ぎ板ＬＡＣＰが当衝すると丸鋼バネＳＰ２がＹ方向右側へ湾曲して水平動の衝撃を緩和する状態を示すと共に、基礎ベースプレートＣＳ２に固着し立設された２本のリードアンカーＬＡ２が基礎ベースプレートＣＳ1及び基礎ベースプレートＣＳ２に設けたリードアンカー遊動孔ＬＡＨ内をＸ方向へ遊動する状態を示している。
【００１９】
図１０のＺ−Ｚ線で切断した左半部は図９におけるＸ−Ｙ断面図、右半部は図９におけるＸ−Ｙ切断端面図であり図中、ＣＳ4は裏板である。
【００２０】
図１１の中央部縦断線の左半部は図９におけるＸ１−Ｘ１断面図、同右半部は図９におけるＸ２−Ｘ２断面図である。リードアンカーＬＡ１はリードアンカー繋ぎ板ＬＡＣＰで連結され、リードアンカーＬＡ１が基礎ベースプレートＣＳ1、ＣＳ２のＸ方向に連通して設けたリードアンカー遊動孔ＬＡＨ内をＸ方向及びＹ方向へ遊動することで、支持体ベースプレートＣ1及び支持体ベースプレートＣ２ヘ基礎ベースプレートＣＳ２から伝播する全方位にわたる水平動を免震する。
【００２１】
図１２は、図９を９０度、時計方向へ回転させた拡大平面図。
【００２２】
図１３は、図１２におけるＹ−Ｙ断面図。
【００２３】
図１４は図１２におけるＸ−Ｘ断面図。
【００２４】
図１５は１本のシャフトＳ１と２本のシャフトＳ２を本体Ａと支持体Ｂに装着した状態を示す縦断面図。
【００２５】
図１６は建物の土台を載せるチャンネル型鋼からなる構台ＣＳを建物の外側の土台に配設する補助免震基礎装置を示す外観正面図。
【００２６】
図１７は同、平面図。
【００２７】
図１８は組立てシステムを示す縦断面図。
【００２８】
図１９は本体Ａ１、Ａ２、Ａ３及びＡ４を示す正面図。
【００２９】
図２０は支持体Ｂ１及び支持体Ｂ３を示す正面図。
【００３０】
図２１は支持体ＢＳ１を示す正面図。
【００３１】
図２２は平屋建築物において構台に配置する免震基礎装置と補助免震基礎装置を示す平面図。
【００３２】
図２３は２階建て建築物において構台に配置する免震基礎装置と補助免震基礎装置を示す平面図である。
【００３３】
図２２及び図２３に示すように、主たる免震基礎装置における構台ＨＳを囲むようにして補助免震基礎装置の構台ＣＳを配置し、図１６及び図１９に示すように、１枚の本体Ａ２（芯板）の外側を２枚の本体Ａ１（側板）で挟み本体Ａ１の一方の外側を更に２枚の三角形状の本体Ａ３（側板）で挟んで埋め込みボルトで一体に合着すると共に、本体Ａ１の他方の外側を更に２枚の本体Ａ４で挟んで埋め込みボルトで一体に合着し、本体Ａ２と本体Ａ１を本体Ａ３から突出させて六角ボルトで一体に合着し、その合着部を構台ＣＳの内底面ヘ挿し込み本体Ａ３の垂直面が構台ＣＳの立ち上がり縁ＣＳａの先端に接触する位置まで押し込む。略く字形の２枚の支持体ＢＳ１を本体Ａ１と支持体Ｂ１の間に介挿し且つ支持体ＢＳ１及び支持体Ｂ１の下面を支持体ベースプレートＣ１に溶着すると共に支持体Ｂ１をアングル鋼材で且つリブ付きの２枚の支持体Ｂ３で挟み、その垂直リブＢ３ａを構台ＣＳの下方の立ち上がり面ＣＳａの先端に接触させると共に支持体ＢＳ１に形成されている斜面ＢＳ1ａを構台ＣＳの下方の立ち上がり面ＣＳａに接触させて下方から支承し、且つ本体Ａ３の斜面Ａ３ａを支持体ＢＳ１の斜面ＢＳ1ａに当接させる。
【００３４】
支持体Ｂ３の水平面を支持体ベースプレートＣ１にボルトで取り付け固定すると共に、その水平リブＢ３ｂと垂直リブＢ３ａを支持体Ｂ１にボルトで固定して支持体Ｂ１を支持体ベースプレートＣ１の上面に立設固定する。コンクリート基礎にアンカーボルトＡＢで基礎ベースプレートＣＳ２を固定し、基礎ベースプレートＣＳ２の上面に２枚重ね合わせた支持ベースプレートＣ１、Ｃ２を遊動自在に設置する。
【００３５】
本体Ａ１と支持体ＢＳ１に固着したシャフトＳ１を支持体Ｂ１に設けた横方向のシャフトリード長孔ＳＬＨ２に遊嵌すると共に、支持体ＢＳ１に設けた斜め方向のシャフトリード長孔ＳＬＨ３に遊嵌する。
【００３６】
本体Ａ４に形成されている斜面Ａ４ａを、支持体ＢＳ1の両側縁に平行して形成されている他方の斜面ＢＳ1ｂに圧接させ、本体Ａ１と本体Ａ４に固着したシャフトＳ２を支持体Ｂ1に設けている縦方向のシャフトリード長孔ＳＬＨ１に遊嵌する。
【００３７】
図１７に示すように、支持体ベースプレートＣ１は矢印形状であり、支持体ベースプレートＣ２は略山形状であり、基礎ベースプレートＣＳ２の上面は支持体ベースプレートＣ２の下面と接触し、基礎ベースプレートＣＳ２に固着されリードアンカー繋ぎ板ＬＡＣＰで一体に連結している２本のリードアンカーＬＡ１を支持体ベースプレートＣ１、Ｃ２のＸ方向に設けているリードアンカー遊動孔ＬＡＨ１に遊嵌し、リードアンカー繋ぎ板ＬＡＣＰで一体に連結している２本のリードアンカーＬＡ２を基礎ベースプレートＣＳ２のＹ方向に設けているリードアンカー遊動孔ＬＡＨ２に遊嵌する。したがつて地盤から伝わる地震の水平動をＸ方向とＹ方向に分けて免震すると共に横方向のシャフトリード長孔ＳＬＨ２に遊嵌したシャフトＳ１の遊動で免震する。地震の上下動は支持体Ｂ１と本体Ａ４に連通する縦方向のシャフトリード長孔ＳＬＨ１に遊嵌したシャフトＳ２の遊動で免震され、斜め方向のシャフトリード長孔ＳＬＨ３に遊嵌したシャフトＳ１が斜め方向の上下動を支持体ＢＳ１に形成されてＹ斜面ＢＳ１ｂに接触する本体Ａ４の斜面Ａ４ａによる相互受圧作用で本体Ａの受ける下降荷重を免震すると共に圧接から生ずる滑降力は水平動に変わるが、シャフトＳ1が横方向のシャフトリード長孔ＳＬＨ２内で同時に揺れ動くためシャフトＳ1の動きが制止され本体Ａが揺れ止まるため建物静止時の安定を確保できる。
【産業上の利用可能性】
【００３８】
構台上に設けている土台に木造及び鉄骨造の建物を建築することにより、地震の水平動と上下動を吸収し揺れを抑えて免震すると共に震動後の静止位置で建物を動かないように固定するため、建物や人畜及び建物内の什器類に被害を与えない著効がある。
【符号の説明】
【００３９】
「本体Ａ」
Ａ1−Ａ2の挟持板  Ａ2−芯板  Ａ3−Ａ1の挟持板  Ａ4（アングル型鋼）−構台ＨＳへの取り付け板  ＡＳ−本体Ａの最外側板  
「支持体Ｂ」
Ｂ1  Ｂ2  Ｂ3Ｌ（アングル型鋼）  Ｂ３（平板）  Ｘ字形に重ね合わせ  Ｂ3ａ  凹陥部
「支持体ＢＳ」
ＢＳ1      ＢＳ1ａ、ＢＳ1ｂ―ＢＳ1の斜面  
ＢＳ2  ＢＳ2の斜面Ｄ
ＢＳ3  ＢＳ3の斜面Ｂ，斜面Ｃ  
「支持体ベースプレートＣ」
Ｃ1  Ｃ2（平板）  Ｃ3、ステンレス材の滑り板
「基礎ベースプレートＣＳ」
ＣＳ1  ＣＳ2（平板）  ＣＳ３  加圧プレート  ＣＳ４、裏板
「シャフトＳ」
Ｓ1  Ｓ2
「シャフトリード長孔ＳＬＨ」
ＳＬＨ1  縦方向  ＳＬＨ2  横方向  ＳＬＨ3  斜め方向  
「ＨＳ−構台（Ｈ型鋼）  
「ＡＢ」  アンカーボルト  
「ＬＡ」  リードアンカー
ＬＡ１  ＬＡ２  
「ＬＡＣＰ」  リードアンカー繋ぎ板
「ＬＡＨ」  リードアンカー遊動孔
リードアンカーＬＡ１とＬＡ２を遊嵌
「ＳＰ」  丸鋼バネ
ＳＰ1、支持体ベースプレートＣ２に装填  ＳＰ２、基礎ベ―スプレートＣＳ１に装填
「ＳＷ」  ストッパー壁  基礎ベ―スプレートＣＳ１に設けたリードアンカー遊動孔ＬＡＨに形成
【要約】
【課題】  木造または鉄骨造建築物の免震基礎装置の部品点数の削減、システム組み立ての容易性及び建物荷重の耐強度性の増強を図ると共に地震の上下動及び全方位の水平動を免震。
【解決手段】  建築物の土台を載せる複数列の対向する構台間にわたり横長金属板を重ね合わせた本体Ａと、本体Ａを支持する横長金属板を重ね合わせた支持体Ｂと、本体Ａと支持体Ｂ間に介挿する支持体ＢＳとをシャフトＳで連結し、シャフトリード長孔ＳＬＨにシャフトＳを遊嵌し支持体Ｂを本体Ａへ遊動可能に連結して上下動を免震。基礎ベースプレートＣＳにリードアンカーＬＡを固着し、基礎ベースプレートＣＳと支持体ベースプレートＣに連通するリードアンカー遊動孔ＬＡＨを設けてリードアンカーＬＡを遊嵌し、支持体ベースプレートＣをＹ方向へ遊動可能に連結、基礎ベースプレートＣＳをＸ方向へ遊動可能に連結し全方位の水平動を免震。
【選択図】  図２【図１】
0004620182.tif 000002
【図２】
0004620182.tif 000003
【図３】
0004620182.tif 000004
【図４】
0004620182.tif 000005
【図５】
0004620182.tif 000006
【図６】
0004620182.tif 000007
【図７】
0004620182.tif 000008
【図８】
0004620182.tif 000009
【図９】
0004620182.tif 000010
【図１０】
0004620182.tif 000011
【図１１】
0004620182.tif 000012
【図１２】
0004620182.tif 000013
【図１３】
0004620182.tif 000014
【図１４】
0004620182.tif 000015
【図１５】
0004620182.tif 000016
【図１６】
0004620182.tif 000017
【図１７】
0004620182.tif 000018
【図１８】
0004620182.tif 000019
【図１９】
0004620182.tif 000020
【図２０】
0004620182.tif 000021
【図２１】
0004620182.tif 000022
【図２２】
0004620182.tif 000023
【図２３】
0004620182.tif 000024